(57)【要約】【課題】動画を撮影可能なビデオカメラや動画を編集する編集装置等で、画像の合成や切り替えの為のエフェクトとして用いて好適な画像処理装置を提供することを目的とする。【解決手段】入力された画像信号を複数の周波数帯域成分に分割する帯域分割手段と、入力された第１の画像信号と第２の画像信号とを帯域分割手段によって分割した後、分割された帯域成分毎に画像データを入れ替えて、第３の画像信号を出力する合成手段とを有する。【選択図】      図１
2004165800.tif 000002
【特許請求の範囲】
【請求項１】
複数の画像信号を入力して処理する画像処理装置において、
画像信号を異なる周波数帯域成分ごとに分割する帯域分割手段と、
複数の画像信号を前記帯域分割手段で分割した後、前記複数の画像信号間で共通する周波数帯域成分内における一部または全部の画像データを入れ替えることで前記複数の画像信号を合成し、一つの画像信号を出力する画像合成手段とを備えたことを特徴とする画像処理装置。
【請求項２】
複数の画像信号を入力して処理する画像処理装置において、
周波数帯域分割された複数の画像信号を入力し、前記複数の画像信号間で、所定の周波数帯域の成分内における一部または全部の画像データを入れ替えることで前記複数の画像信号を合成する画像合成手段と、
前記画像合成手段が処理する前記所定の周波数帯域を時間の経過と共に変更させた上で、前記画像合成手段によって合成される画像を動画像として出力する画像出力手段とを備えたことを特徴とする画像処理装置。
【発明の詳細な説明】
【０００１】
【発明の属する技術分野】
本発明は、複数の画像信号の合成、切り替え機能を有する画像処理装置に関するものである。
【０００２】
【従来の技術】
従来、入力される複数の画像を合成したり切り替えたりする画像処理方法として、図１３に示すように、２つの入力画像のベースバンド信号を所定の比率で加算して、時間の経過とともに加算比率を変化させることによって、画像Ａから画像Ｂに切り替える「クロスフェード」と呼ばれるものがあった。また、図１４に示すように、２つの入力画像のベースバンド信号について、画像Ａから画像Ｂのように、時間の経過とともに画面の右から左へと順に切り替えるような「ワイプ」と呼ばれる画像処理方法もあった。これらの「クロスフェード」や「ワイプ」といった画像処理は、撮影時のエフェクトとして、ビデオカメラにおける撮影シーンの切り替え等で用いられている（例えば、特許文献１参照。）。
【０００３】
また、複数の画像を合成するその他の画像処理方法として、入力される２つの画像から低周波成分と高周波成分をそれぞれ抽出し、２つの画像の高周波成分を合成した上で、一方の画像の低周波成分と合成し、第３の画像を得るといった画像処理方法も考えられている。こうして生成された第３の画像には、２つの画像の高周波成分が含まれるようになるので、高精細な合成画像を得ることができると考えられている（例えば、特許文献２参照。）。
【０００４】
【特許文献１】
特開平２−３０１２６８号公報
【特許文献２】
特開平１１−３１３２０５号公報
【０００５】
【発明が解決しようとする課題】
しかしながら、従来の「クロスフェード」や「ワイプ」といった画像処理においては、合成したり入れ替えたりする画像信号が、輝度信号や色差信号等のようなベースバンド信号の状態で行っている為、視覚的効果に限界があった。
【０００６】
また、２つの画像の高周波成分を合成して、一方の画像の低周波成分と合成するといった従来の画像処理においては、合成して生成される１枚の画像の輪郭を強調することが目的の構成であるので、動画のようにシームレスな画像を切り替える際のエフェクトに用いることは不適であった。
【０００７】
本発明は上記の如き問題点を解決して、動画を撮影可能なビデオカメラや動画を編集する編集装置等で、エフェクトとして用いて好適な構成を成す画像処理装置を提供することを目的とする。
【０００８】
【課題を解決するための手段】
斯かる目的を達成する為の手段として、本発明は以下の構成からなる手段を有する。
【０００９】
本発明の画像処理装置は、複数の画像信号を入力して処理する画像処理装置において、画像信号を異なる周波数帯域成分ごとに分割する帯域分割手段と、複数の画像信号を前記帯域分割手段で分割した後、前記複数の画像信号間で共通する周波数帯域成分内における一部または全部の画像データを入れ替えることで前記複数の画像信号を合成し、一つの画像信号を出力する画像合成手段とを備えたことを特徴とする。
【００１０】
また、本発明の画像処理装置は、複数の画像信号を入力して処理する画像処理装置において、周波数帯域分割された複数の画像信号を入力し、前記複数の画像信号間で、所定の周波数帯域の成分内における一部または全部の画像データを入れ替えることで前記複数の画像信号を合成する画像合成手段と、前記画像合成手段が処理する前記所定の周波数帯域を時間の経過と共に変更させた上で、前記画像合成手段によって合成される画像を動画像として出力する画像出力手段とを備えたことを特徴とする。
【００１１】
【発明の実施の形態】
以下、図面を参照しながら本発明の好適な実施の形態を説明する。
【００１２】
＜第１の実施形態＞
図１は本発明の第１の実施形態における画像処理装置の各ブロックと記録装置及び表示装置を表したブロック図である。
【００１３】
本発明の画像処理装置では、画像の圧縮符号化技術として規格化が検討されている所謂ＪＰＥＧ２０００に準拠した方式を用いて、画像の帯域分割処理や合成処理、圧縮処理や伸張処理を行なうものであるが、ＪＰＥＧ２０００の基礎的な技術説明に関してはＩＳＯ／ＩＥＣ  １５４４４などに詳細に説明されているので、ここでは本実施の形態に関連する部分のみ取り上げて、画像処理装置の動作に関連付けて説明する。
【００１４】
図１において、１０１は画像入力部（１）、１０２は離散ウェーブレット変換部（１）、１０３は第１メモリ部である。１０４はデータ合成部、１０５は量子化部、１０６はエントロピ符号化部、１０７は符号出力部、１０８は記録装置である。更に、２０１は画像入力部（２）、２０２は離散ウェーブレット変換部（２）、２０３は第２メモリ部である。２０４は外部入力部である。２０５は逆離散ウェーブレット変換部、２０６は表示用バッファメモリ部、２０７は画像出力部、２０８は表示装置である。
【００１５】
画像入力部（１）１０１はカメラ等の撮像装置や外部の画像信号出力装置に接続されている。まず、画像入力部（１）１０１から、符号化対象となる第１の画像信号を構成する輝度信号および色度信号がラスタースキャン順に入力され、離散ウェーブレット変換部（１）１０２で変換される。
【００１６】
図２（ａ）は入力信号を帯域分割する離散ウェーブレット変換部（１）１０２の構成を表した図である。同図において、Ｈ０およびＨ１はＦＩＲフィルタであり、Ｈ０はローパス（Ｌｏｗ  Ｐａｓｓ）、Ｈ１はハイパス（Ｈｉｇｈ  Ｐａｓｓ）特性を持っている。また、下向き矢印記号を有する円形部分は、ダウンサンプリングを表している。入力される多値画像信号は、フィルタＨ０およびＨ１で処理されて異なる周波数帯域の信号に分割された後、２：１にダウンサンプリングされることになる。
【００１７】
図２（ａ）において、入力された多値画像信号は、水平方向および垂直方向の変換処理を１つの組として処理を行っている。また、最初の１組の処理終了後、さらに最も周波数帯域の低い信号に対して同じ処理を繰り返し行なうことにより、最終的には７つの異なる周波数帯域に属する一連のデータが出力される。
【００１８】
図２（ｂ）は、図２（ａ）に示した構成からなる離散ウェーブレット変換部（１）１０２によって変換処理を行った結果、入力された多値画像信号が異なる周波数帯域に分割された様子を表したものであり、各周波数帯域に対してＨＨ１，ＨＬ１，ＬＨ１，ＨＨ２，ＨＬ２，ＨＬ１，ＬＬのようにラベル付けを行った例である。以降の説明においては、水平方向および垂直方向への１組の変換処理を分解の１レベルと考え、各周波数帯域ＨＨ１，ＨＬ１，ＬＨ１，…，ＬＬをサブバンドと称する。
【００１９】
離散ウェーブレット変換部（１）１０２によって帯域分割された画像信号は、第１のデータ群として第１メモリ部１０３に格納される。
【００２０】
また、同様に画像入力部（２）２０１から入力された画像信号は、離散ウェーブレット変換部（２）２０２によって帯域分割され、各周波数帯域のサブバンドＨＨ１，ＨＬ１，ＬＨ１，…，ＬＬを生成し、第２のデータ群として第２メモリ部２０３に格納される。
【００２１】
ここで入力された２つの画像の合成や切り替え処理を行なわない場合、例えば第１のデータ群はメモリ部１０３からデータ合成部１０４をそのままの形で通過し、次の量子化部１０５または逆離散ウェーブレット変換部２０５へ入力される。
【００２２】
量子化部１０５は、データ合成部１０４から出力される離散ウェーブレット変換されたデータ群を、量子化するものである。図３は、量子化部１０５における入力値と出力値の関係を示す図である。このように、量子化部１０５はウェーブレット変換係数値を量子化された係数値（以降、単に係数値と呼ぶ）に変換し、後続のエントロピ符号化部１０６に出力する。
【００２３】
エントロピ符号化部１０６は、入力された係数を図４に示すような複数のコードブロック（図４において点線で表記した部分）に領域分割する。そして、コードブロック毎に係数値をビットプレーンに分解し、算術符号化を行ってコードストリームとして出力する。
【００２４】
コードストリームは符号化出力部１０７によりヘッダ情報等が付加されて、ＪＰＥＧ２０００のファイル形式として生成された後、記録装置１０８に出力される。記録装置１０８は固体メモリを含むメモリカード、光ディスクや磁気ディスク等の記録媒体と、記録媒体の書き込み部や読出し部等から構成されており、入力したＪＰＥＧ２０００ファイルを記録媒体に記録する。また記録装置１０８は、記録再生装置として再生機能を備えていてもよく、また記録装置１０８は本発明の画像処理装置と一体化された装置として、或いは画像処理装置と有線や無線で接続可能な装置として、或いはネットワーク上に接続されたコンピュータやサーバーであっても良い。
【００２５】
データ合成部１０４から出力されるデータ群は逆離散ウェーブレット変換部２０５にも入力され、元のベースバンドの画像信号に逆変換できる。ここで逆変換された画像信号は表示用バッファメモリ部２０６に入力される。画像出力部２０７は表示用バッファメモリ部２０６からの画像信号を可視画像として、液晶ディスプレイモニタ（ＬＣＤ）等の表示装置２０８に出力して、表示できる。
【００２６】
次に、本発明の画像処理装置を用いて複数の画像の合成や切り替えを行なう場合、特にフレーム単位で連続している動画像を切り替える場合のデータ合成部１０４の動作について説明する。
【００２７】
画像入力部（１）１０１から入力された第１の動画像は、離散ウェーブレット変換部（１）１０２にて図５（ａ）のように帯域分割され、第１のデータ群として、フレーム毎に更新されながら第１メモリ部１０３に格納される。
【００２８】
画像入力部（２）２０１から入力された第２の動画像も同様に、離散ウェーブレット変換部（２）２０２にて図５（ｂ）のように帯域分割され、第２のデータ群として、フレーム毎に更新されながら第２メモリ部２０３に格納される。
【００２９】
第１及び第２のメモリ部からの出力は、データ合成部１０４に入力される。またデータ合成部１０４は外部入力部２０４にも接続されており、外部の装置やシステムから動画像が帯域分割されたデータ群を入力可能であって、前述した第１、第２の動画像の他、外部入力部２０４から入力した動画像をそれぞれ自由に合成する事が可能である。
【００３０】
ここでは例として、まず第１メモリ部１０３と第２メモリ部２０３からの画像データを合成し、切り替える場合の処理について説明する。なお、これ以降本実施の形態において説明する、“複数の動画像を合成し、時間の経過とともに切り替える処理”のことを“クロスフェード”と称す。
【００３１】
データ合成部１０４を用いて本実施の形態のクロスフェードを行なうことによって、例えば画像入力部（１）１０１から入力される第１の動画像から、画像入力部（２）２０１から入力される第２の動画像へと、徐々にシーンを切り替えるような視覚効果を演出したいときに効果的である。その構成は、第１の動画像から第２の動画像に切り替える場合、データ合成部１０４の処理の説明として図６（１）〜（６）で示すように、動画を構成するフレーム毎に存在する各サブバンドのデータを、時間の経過（フレームの移り変わり）に従って、第１の動画像を構成する成分から第２の動画像を構成する成分へと順次入れ替えながら新たなデータ群を構成し、それを第３の動画像としてデータ合成部１０４から出力する構成となっている。
【００３２】
図６を用いてデータ合成部１０４が行なうクロスフェードについて詳細に説明する。ここで、第１の動画像のデータ群は図５（ａ）の如き構成であり、また第２の動画像のデータ群は図５（ｂ）の如き構成となっているものとする。
【００３３】
データ合成部１０４から出力されるデータは、まずクロスフェードの開始前の期間では図６（１）に示すように、全てが第１の動画像のデータ群のみの状態である。
【００３４】
次いで、クロスフェードが開始されると、図６（２）に示すように、クロスフェードの開始から３０フレーム（ＮＴＳＣ方式で約１秒間分）までの映像期間で、第１の動画像のデータ群におけるサブバンド成分ＨＨ１ａを、第２の動画像のデータ群の対応するサブバンド成分ＨＨ１ｂと入れ替え、それ以外のサブバンドは第１のデータ群のままにして、その結果として第３のデータ群を出力する。
【００３５】
次いで、図６（３）に示すように、クロスフェードの実行中で３１から６０フレームまでの映像期間では、第１の動画像のデータ群におけるサブバンド成分ＨＨ１ａ、ＨＬ１ａ、ＬＨ１ａを、第２の動画像のデータ群のそれぞれ対応するサブバンド成分ＨＨ１ｂ、ＨＬ１ｂ、ＬＨ１ｂと入れ替え、それ以外のサブバンドは第１のデータ群のままにして、その結果として第３のデータ群を出力する。
【００３６】
次いで、図６（４）に示すように、クロスフェードの実行中で６１から９０フレームまでの映像期間では、第１の動画像のデータ群におけるサブバンド成分ＨＨ１ａ、ＨＬ１ａ、ＬＨ１ａ、ＨＨ２ａを、第２の動画像のデータ群のそれぞれ対応するサブバンド成分ＨＨ１ｂ、ＨＬ１ｂ、ＬＨ１ｂ、ＨＨ２ｂと入れ替え、それ以外のサブバンドは第１のデータ群のままにして、その結果として第３のデータ群を出力する。
【００３７】
次いで、図６（５）に示すように、クロスフェードの実行中で９１から１２０フレームまでの映像期間では、第１の動画像のデータ群におけるサブバンド成分ＬＬａのみを残して、第１のデータ群のその他のサブバンドを、第２の動画像のデータ群における対応するサブバンドと、それぞれサブバンド毎に入れ替え、その結果として第３のデータ群を出力する。
【００３８】
そしてクロスフェードが開始されてから１２０フレーム以降は、図６（６）に示すように全てが第２の動画像のデータ群のみを出力する状態となり、クロスフェードが完了する（第１の動画像から第２の動画像への切り替えが終了する。）。
【００３９】
なお、この切り替えのタイミングは一例として上記のように設定しているが、クロスフェードを実行した際に、視覚効果上で適当な範囲内であれば、フレーム数または時間間隔は任意で良い。
【００４０】
図６（１）〜（６）の各段階でそれぞれ生成された第３のデータ群は、その後上述したような処理を介した後、実際に表示装置２０８で表示されるか、または記録装置１０８で記録される動画データとなる。
【００４１】
以上のように構成された画像処理装置によって、クロスフェードを実行したときの表示形態としては、第１の動画像を図９のシーンＡ、第２の動画像を図９のシーンＢとした場合には、図１０に示したように、時間の経過とともにシーンＡからシーンＢへとじわっと切り替わるような表示形態が実現できる。
【００４２】
図１０について説明を補足すると、シーンＡからシーンＢに切り替わるクロスフェードが開始されると、時間が経過するに従いシーンＡの高周波成分が徐々に少なくなってゆき、続いて低周波成分も徐々に少なくなってゆき、最終的にクロスフェードの終了とともにシーンＡの成分はゼロとなる。逆にシーンＢについては、クロスフェードが開始されると、時間が経過するに従い高周波成分が徐々に増加してゆき、続いて低周波成分も徐々に増加してゆき、最終的にはクロスフェードの終了とともに画面の全てがシーンＢの画像信号に切り替わるようになることを表している。
【００４３】
もし、画像をシーンＡからシーンＢに完全に切り替えるのではなく、２つの画像が常に合成されている状態で表示させたい場合には、データ合成部１０４が図６の（２）〜（５）の状態のいずれかの合成状態を保持するように制御すれば良い。
【００４４】
更に、本発明の画像処理装置は２つの画像のクロスフェードに限らず、第１メモリ部１０３と第２メモリ部１０３と外部入力端子２０４からの、３つの帯域分割されたデータ群を時系列またはランダムに切り替えることにも対応できる構成とする。もちろん外部入力端子２０４を複数設けたり、画像入力部を増やしたりしても、本発明の画像処理装置によって対応できる。
【００４５】
また、データ合成部１０４がクロスフェードとして行なう、複数の画像の対応するサブバンドを入れ替える処理は、上述した図６（１）〜（６）のように高周波成分のサブバンドから順に入れ替える方法に限らず、低周波成分のサブバンド（例えばＬＬ）から入れ替えるようにしても良い。
【００４６】
更に、サブバンドを入れ替える場合に、上述した図６（１）〜（２）においてＨＨ１のサブバンド成分の全てを一度に入れ替える例を説明したが、その他の方法として図１０（１）〜（５）に示すように時間の経過（フレームの進行）に従って、サブバンドＨＨ１をさらに細分化してコードブロック単位で順に入れ替えるように制御することもできる。
【００４７】
また、図１２（１）〜（５）に示すように時間の経過（フレームの進行）に従って、２つの画像の対応するサブバンド成分の加算比率を変化させながら入れ替えるように制御することもできる。
【００４８】
以上のように、本実施の形態において説明した本画像処理装置を用いることによって、入力画像の処理において、このような新しい特殊効果を提供することが可能になり、ビデオカメラや編集装置等のエフェクトとして利用できる効果がある。
【００４９】
＜第２の実施形態＞
第２の実施形態では、第１の実施形態で説明した画像処理装置の復号機能について説明する。復号機能は、記録装置１０８に記録されたＪＰＥＧ２０００ファイルを再生し、そのファイルを再生した場合に用いられる。このとき、記録装置１０８は再生機能を有する記録再生装置であり、また、再生されるＪＰＥＧファイルは、実施の形態１で説明したクロスフェード処理済みの動画を含んでいるものとする。
【００５０】
図７は本発明の第２の実施の形態における画像処理装置の各ブロックと記録装置及び表示装置を表したブロック図である。
【００５１】
図７において、１０８は再生機能を有する記録装置、７０１は符号入力部、７０２はエントロピ復号化部、７０３は逆量子化部、７０４は復号用メモリ部、７０５は逆離散ウェーブレット変換部、７０６は表示用バッファメモリ部、７０７は画像出力部、７０８は離散ウェーブレット変換データ出力部、７０９はＬＣＤ等の表示装置である。
【００５２】
記録部１０８に記録してある画像データ（ＪＰＥＧ２０００ファイル）は再生され、符号入力部７０１に入力される。そこで、画像データに含まれる管理情報（ヘッダ）を解析して後続の処理に必要なパラメータを抽出する。
【００５３】
その後、エントロピ復号化部７０２は量子化された係数値を復号する。復号された係数値は後段の逆量子化部７０３に出力される。逆量子化部７０３は、入力された係数値を逆量子化し、結果として得られる離散ウェーブレット変換係数を復号用メモリ部７０４に格納する。
【００５４】
次に、逆離散ウェーブレット変換部７０５において、復号用メモリ７０４に格納された変換係数を逆離散ウェーブレット変換するが、その手順について以下に説明する。
【００５５】
図８は、逆離散ウェーブレット変換部７０５の詳細構成を示す図である。逆離散ウェーブレット変換部７０５はまず、復号用フレームメモリ７０４に格納されたデータ群のサブバンドのうち、ＬＬ２およびＬＨ２から変換係数を垂直方向に読み出して１：２にアップサンプリングした後、ＬＬ２に対してはＧ０、ＬＨ２に対してはＧ１によるフィルタ処理を施して加算する。また同様の処理をＨＬ２，ＨＨ２に対しても行なう。次に、以上の処理結果を水平方向に読み出し、先程ＬＬ２およびＬＨ２から得られた結果に対してはアップサンプリング後Ｇ０を、ＨＬ２およびＨＨ２から得られた結果に対してはアップサンプリング後Ｇ１を施して加算する。以上の処理により、１レベルの合成が終了する。以上の処理を全てのレベルで行なうことにより、データ群からベースバンドの画像信号を復元することができる。
【００５６】
次に、図７において、逆離散ウェーブレット変換部７０５から出力された画像信号は表示用バッファメモリ部７０６に入力される。画像出力部７０７は表示用バッファメモリ部７０６からの画像信号を可視画像として、液晶ディスプレイモニタ（ＬＣＤ）等の表示装置７０９に出力して、表示できる。
【００５７】
また、７０８は離散ウェーブレット変換データ出力部であり、復号用メモリ部７０４からの出力を、外部に出力することが可能な構成となっている。
【００５８】
上述したような構成からなる、実施の形態２の画像処理装置を用いれば、記録装置１０８から再生した画像データを復号して再生、表示することができるので、再生動画中にクロスフェードが含まれている映像部に関しては実施の形態１と同様、図９及び図１０の如くクロスフェード動画を再生、表示することができる。
【００５９】
更に、離散ウェーブレット変換部７０５から出力される再生画像のデータ群を、実施の形態１で説明した図１の外部入力部２０４の入力に用いれば、記録装置１０８からの再生画像と画像入力部（１）１０１または画像入力部（２）２０１の入力画像とのクロスフェードも実行できる。
【００６０】
以上のように、本実施の形態において説明した本画像処理装置を用いることによって、再生画像を用いても新しい特殊効果を提供することが可能になり、ビデオカメラや編集装置等のエフェクトとして利用できる効果がある。
【００６１】
＜その他の実施形態＞
上記した２つの実施形態における画像処理装置の機能を実現するように、各種のデバイスを動作させるべく当該各種デバイスと接続された装置又はシステム内のコンピュータに、上記実施形態の機能を実現するためのソフトウエアのプログラムコードを供給し、その装置又はシステムのコンピュータ（ＣＰＵ又はＭＰＵ）を格納されたプログラムに従って動作させ、前記各種デバイスを動作させることによって実施したものも、本願発明の範囲に含まれる。
【００６２】
この場合、前記ソフトウエアのプログラムコード自体が、前述した実施形態の機能を実現することになり、そのプログラムコード自体、及びそのプログラムコードをコンピュータに供給するための手段、例えば、かかるプログラムコードを格納した記憶媒体は、本発明を構成する。かかるプログラムコードを格納する記憶媒体としては、例えば、フロッピー（Ｒ）ディスク、ハードディスク、光ディスク、光磁気ディスク、ＣＤ−ＲＯＭ、磁気テープ、不揮発性のメモリカード及びＲＯＭ等を用いることが出来る。
【００６３】
また、コンピュータが供給されたプログラムコードを実行することにより、前述の実施形態の機能が実現されるだけではなく、そのプログラムコードがコンピュータにおいて稼働しているＯＳ（オペレーティングシステム）又は他のアプリケーションソフトウエア等と共同して上述の実施例の機能が実現される場合にも、かかるプログラムコードが本出願に係る発明の実施形態に含まれることは言うまでもない。
【００６４】
更には、供給されたプログラムコードが、コンピュータの機能拡張ボード又はコンピュータに接続された機能拡張ユニットに備わるメモリに格納された後、そのプログラムコードの指示に基づいて、その機能拡張ボード又は機能拡張ユニットに備わるＣＰＵ等が実際の処理の一部または全部を行い、その処理によって上述した実施形態の機能が実現される場合も、本出願に係る発明に含まれることは言うまでもない。
【００６５】
【発明の効果】
以上説明したように、本発明によれば、画像を複数の周波数帯域に分割して、複数の画像の対応する周波数帯域の画像データを入れ替える事により、従来には無かった視覚的効果のある画像合成や画像の切り替えが可能となる。
【図面の簡単な説明】
【図１】実施の形態１における画像処理装置を含むシステムのブロック図である。
【図２】（ａ）離散ウェーブレット変換部の動作を説明する為の図である。（ｂ）サブバンドを説明する図である。
【図３】量子化部における入力値と出力値の関係を示す図である。
【図４】サブバンドとコードブロックの関係を示す図である。
【図５】（ａ）（ｂ）合成する２つの画像のサブバンドを示す図である。
【図６】（１）〜（６）サブバンド成分の入れ替え方法を説明する図である。
【図７】実施の形態２における画像処理装置を含むシステムのブロック図である。
【図８】逆離散ウェーブレット変換部の動作を説明する為の図である。
【図９】本発明のクロスフェードを行なう２つの画像例である。
【図１０】本発明のクロスフェードを説明する図である。
【図１１】（１）〜（５）２つの画像のサブバンド成分を入れ替える場合の他の方法を説明する図である。
【図１２】（１）〜（５）２つの画像のサブバンド成分を入れ替える場合の他の方法を説明する図である。
【図１３】従来の特殊効果の動作を説明する為の図である。
【図１４】従来の特殊効果の表示を説明する為の図である。
【符号の説明】
１０１  画像入力部（１）
１０２  離散ウェーブレット変換部（１）
１０３  第１メモリ部
１０４  データ合成部
１０５  量子化部
１０６  エントロピ符号化部
１０７  符号出力部
１０８  記録装置
２０１  画像入力部（２）
２０２  離散ウェーブレット変換部（２）
２０３  第２メモリ部
２０４  外部入力部
２０５  逆離散ウェーブレット変換部
２０６  表示用バッファメモリ部
２０７  画像出力部
２０８  表示装置
７０１  符号入力部
７０２  エントロピ復号化部
７０３  逆量子化部
７０４  復号用メモリ部
７０５  逆離散ウェーブレット変換部
７０６  表示用バッファメモリ部
７０７  画像出力部
７０８  離散ウェーブレット変換データ出力部
７０９  表示装置
【図１】
2004165800.tif 000003
【図２】
2004165800.tif 000004
【図３】
2004165800.tif 000005
【図４】
2004165800.tif 000006
【図５】
2004165800.tif 000007
【図６】
2004165800.tif 000008
【図７】
2004165800.tif 000009
【図８】
2004165800.tif 000010
【図９】
2004165800.tif 000011
【図１０】
2004165800.tif 000012
【図１１】
2004165800.tif 000013
【図１２】
2004165800.tif 000014
【図１３】
2004165800.tif 000015
【図１４】
2004165800.tif 000016